(57)【要約】【課題】流し素麺としての面白さ、醍醐味等を発揮すると共に、使用時における組立が容易であり、非使用時にはコンパクトに収納することができ、清潔であってひび割れが生じない素麺流し装置を提供する。【解決手段】支持体１により傾斜状態に支持された流水路３と、該流水路の上流端３ａに水を供給する水供給手段５と、該流水路の下流端３ｂより落下した水７と素麺９とを受ける受け手段１１とよりなり、該流水路は、複数の直線状水路１３を連結手段１５を介して長さ方向に連結してなり、該直線状水路は略円弧状断面を有し、前記水供給手段は、水供給ホース２９の先端２９ａを前記流水路の上流端に固定してなり、前記受け手段は、前記流水路の下流端より落下した素麺を通過させることなく受け取る素麺受けと、該流水路の下流端より落下した水を排水する排水管３７とを備える。【選択図】図１
0003143414.tif 000002
【実用新案登録請求の範囲】
【請求項１】
支持体により傾斜状態に支持された流水路と、該流水路の上流端に水を供給する水供給手段と、該流水路の下流端より落下した水と素麺とを受ける受け手段とよりなり、
該流水路は、複数の直線状水路を連結手段を介して長さ方向に連結してなり、該直線状水路は略円弧状断面を有し、
前記水供給手段は、水供給ホースの先端を前記流水路の上流端に固定してなり、
前記受け手段は、前記流水路の下流端より落下した素麺を通過させることなく受け取る素麺受けと、該流水路の下流端より落下した水を排水する排水管とを備えてなることを特徴とする素麺流し装置。
【請求項２】
前記支持体は、３本の脚と、３個の傾斜透孔を形成した角度固定具とを備え、各脚を該角度固定具における各傾斜透孔に挿通させることにより、当該３本の脚を所定の角度にて傾斜させた状態で結束してなることを特徴とする請求項１に記載の素麺流し装置。
【考案の詳細な説明】
【技術分野】
【０００１】
本考案は、流し素麺を楽しむための素麺流し装置に関するものであり、更に詳しくは、水を流す流水路を備え、該流水路に投入された素麺を流水により該流水路に沿って流すようにした素麺流し装置に係るものである。
【背景技術】
【０００２】
素麺流し装置としては、竹材を樋状に形成してなる流水路を傾斜した状態に配設し、該流水路の上流側より水を流し、該流水路に投入された素麺を流水により該流水路に沿って流すようにしたものが従来より知られている。以下、この素麺流し装置を「竹製の素麺流し装置」という。
【０００３】
竹製の素麺流し装置においては、素麺を食する者は、流水路の近傍に位置し、該流水路にそって水中を流れる素麺を箸等により掬って食べるのである。
【０００４】
一方、実開昭６３−１６３７４５号公報等は、環状の流水路を備え、該流水路に投入された素麺を流水により周回させるようにした素麺流し装置を開示している。以下、この素麺流し装置を「環状の素麺流し装置」という。
【０００５】
環状の素麺流し装置においては、素麺を食する者は、環状の流水路の近傍に位置し、該流水路に沿って水中を周回する素麺を箸等により掬って食べるのである。
【特許文献１】実開昭６３−１６３７４５号公報
【考案の開示】
【考案が解決しようとする課題】
【０００６】
竹製の素麺流し装置は、流し素麺としての面白さ、醍醐味等の面では好ましいものである。
【０００７】
しかるに、竹製の素麺流し装置は次のような問題を有する。すなわち、竹材により流水路を形成する作業が面倒であり、多大の労力を要する。また、竹材により形成された流水路は、長くて洗浄が困難であり、しばしば不潔なものとなり、ひび割れが生じやすい。更に、竹製の素麺流し装置は、使用時における組立が面倒であり、非使用時に大きな収納スペースを要するという問題もある。
【０００８】
一方、環状の素麺流し装置は、素麺が環状の流水路中を周回するものであるため、流し素麺としての面白さ、醍醐味等に欠けるという謗りを免れ得ないものである。
【０００９】
本考案は、上記従来の竹製の素麺流し装置及び環状の素麺流し装置における上述の如き問題を解決し、流し素麺としての面白さ、醍醐味等を発揮すると共に、使用時における組立が容易であり、非使用時にはコンパクトに収納することができ、清潔であってひび割れが生じない素麺流し装置を提供しようとしてなされたものである。
【課題を解決するための手段】
【００１０】
上記課題を解決するために、本考案は、下記の素麺流し装置を提供する。
【００１１】
（１）支持体により傾斜状態に支持された流水路と、該流水路の上流端に水を供給する水供給手段（水供給装置）と、該流水路の下流端より落下した水と素麺とを受ける受け手段（受け装置）とよりなり、
該流水路は、複数の直線状水路を連結手段（連結装置）を介して長さ方向に連結してなり、該直線状水路は略円弧状断面を有し、
前記水供給手段は、水供給ホースの先端を前記流水路の上流端に固定してなり、
前記受け手段は、前記流水路の下流端より落下した素麺を通過させることなく受け取る素麺受けと、該流水路の下流端より落下した水を排水する排水管とを備えてなることを特徴とする素麺流し装置（請求項１）。
【００１２】
（２）前記支持体は、３本の脚と、３個の傾斜透孔を形成した角度固定具とを備え、各脚を角度固定具における各傾斜透孔に挿通させることにより、当該３本の脚を所定の角度にて傾斜させた状態で結束してなる（請求項２）。
【考案の効果】
【００１３】
［請求項１の考案］
請求項１の考案による素麺流し装置は、流水路が複数の直線状水路を長さ方向に連結してなるものであるため、流し素麺としての面白さ、醍醐味等が十分に発揮される。また、流水路は複数の直線状水路を連結手段を介して連結してなるものであるため、使用時における組立が容易であり、非使用時にはコンパクトに収納することができる。更に、各直線状水路は、分解した状態で繰り返し洗浄することにより常に清潔な状態で使用することができる。流水路を通過して該流水路の下流端より落下した素麺は、受け手段における素麺受けにより受け取られるため、該素麺を再び流水路の上流端に投入することができる。
【００１４】
［請求項２の考案］
支持体は、３本の脚を傾斜させた状態で結束してなるものであるため、流水路を極めて安定した状態で支持する。支持体の各脚は、角度固定具に形成された傾斜透孔に挿通させることにより、所定の角度にて傾斜した状態で結束される。すなわち、支持体を組立てる作業は極めて容易である。また、支持体の分解作業も極めて容易である。
【考案を実施するための最良の形態】
【００１５】
本考案による素麺流し装置は、支持体１により傾斜状態に支持された流水路３と、該流水路３の上流端３ａに水を供給する水供給手段５と、該流水路３の下流端３ｂより落下した水７と素麺９とを受ける受け手段１１とよりなる。
【００１６】
流水路３は、複数の直線状水路１３を連結手段１５を介して長さ方向に連結してなる。
【００１７】
各直線状水路１３は、例えば、腐蝕ないしひび割れを防止する処理を施した竹材、ポリプロピレン等の合成樹脂又はステンレス鋼、アルミニウム等の金属により形成される。
【００１８】
各直線状水路１３は、略円弧状断面を有し、収納時に嵩張ることのない程度の適宜の長さを備えさせる。
【００１９】
複数の直線状水路１３を連結する連結手段１５は、一例として図２、図３に示すように、一方の直線状水路１３における一端１３ａに突起１７を形成し、他方の直線状水路１３における対応端１３ｂに該突起１７に対応する挿入孔１９を形成してなるものとする。
【００２０】
また、図４に示す連結手段１５は、一方の直線状水路１３における一端１３ａに突出部２１を形成し、他方の直線状水路１３における対応端１３ｂに該突出部２１に対応する切り欠き２３を形成してなるものである。
【００２１】
図５、図６に示す事例においては、連結手段１５として、直線状水路１３と直線状水路１３との連結部２５上にゴム等により形成した断面略円弧状の連結体２７を嵌着している。
【００２２】
連結体２７は、直線状水路１３と直線状水路１３との連結を補強すると共に、連結部２５からの水漏れを防止する。
【００２３】
前記水供給手段５は、水供給ホース２９の先端２９ａを固定手段３１により流水路３の上流端３ａに固定してなる。
【００２４】
固定手段３１は、一例として図１に示すように、水供給ホース２９の先端２９ａを挿入固定するための挿入孔３３を備え、該挿入孔３３に水供給ホース２９の先端２９ａを挿入固定した状態で、直線状水路１３における一端１３に固定する。
【００２５】
前記受け手段１１は、流水路３の下流端３ｂより落下した素麺９を通過させることなく受け取る素麺受け３５と、該流水路３の下流端３ｂより落下した水７を排水する排水管３７とを備えてなるものである。
【００２６】
すなわち、受け手段１１は、底部を排水管３７に連通させた容器状体３９内に網等の素麺受け３５を配設してなるものである。
【００２７】
前記支持体１は、３本の脚４１と、３個の傾斜透孔４３を形成した角度固定具４５とを備え、各脚４１を角度固定具４５における各傾斜透孔４３に挿通させることにより、当該３本の脚４１を所定の角度にて傾斜させた状態で結束してなるものである。角度固定具４５は、一例として、ゴムにより形成する。
【００２８】
符号４７に示すものは、３本の脚４１を補助的に結束させる結束補助具である。
【００２９】
図７に示す事例においては、水路３の下流端３ｂから落下した水７と素麺９とが別の水路３に入る。
【図面の簡単な説明】
【００３０】
【図１】本考案による素麺流し装置の一例を示す斜視図である。
【図２】直線状水路と直線状水路とを連結する連結手段の一例を示す平面図である。
【図３】同上連結手段を示す断面図である。
【図４】別の連結手段を示す断面図である。
【図５】連結体の一例を示す側面図である。
【図６】同上連結体を示す断面図である。
【図７】流水路の下流端から落下した水と素麺とが別の流水路に入るようにした事例を示す平面図である。
【図８】受け手段の一例を示す断面図である。
【図９】支持体の一例を示す側面図である。
【図１０】角度固定具の一例を示す平面図である。
【図１１】同上角度固定具の断面図である。
【図１２】直線状水路を支持体に支持させた状態を示す正面図である。
【符号の説明】
【００３１】
１  支持体
３  流水路
３ａ  上流端
３ｂ  下流端
５  水供給手段
７  水
９  素麺
１１  受け手段
１３  直線状水路
１３ａ  一端
１３ｂ  対応端
１５  連結手段
１７  突起
１９  挿入孔
２１  突出部
２３  切り欠き
２５  連結部
２７  連結体
２９  水供給ホース
２９ａ  先端
３１  固定手段
３３  挿入孔
３５  素麺受け
３７  排水管
３９  容器状体
４１  脚
４３  傾斜透孔
４５  角度固定具
４７  結束補助具
【図１】
0003143414.tif 000003
【図２】
0003143414.tif 000004
【図３】
0003143414.tif 000005
【図４】
0003143414.tif 000006
【図５】
0003143414.tif 000007
【図６】
0003143414.tif 000008
【図７】
0003143414.tif 000009
【図８】
0003143414.tif 000010
【図９】
0003143414.tif 000011
【図１０】
0003143414.tif 000012
【図１１】
0003143414.tif 000013
【図１２】
0003143414.tif 000014